(57)【特許請求の範囲】
【請求項１】
（ａ）ロール状の連続紙をセットするための第１、第２の連続紙セット部と、
（ｂ）駆動手段と、
（ｃ）移送部材と、
（ｄ）前記第２の連続紙セット部に配設され、連続紙を検出する媒体センサと、
（ｅ）該媒体センサによる連続紙の検出に基づいてロール径を算出するロール径算出処理手段と、
（ｆ）算出されたロール径が設定値より大きい場合に、前記移送部材によって、前記第２の連続紙セット部にセットされた連続紙を第１の連続紙セット部に送り、前記駆動手段を駆動することによって、前記第１の連続紙セット部にセットされた連続紙を回転させ、連続紙を繰り出してローディングする自動ローディング処理手段とを有することを特徴とする自動取引装置。
【発明の詳細な説明】
【０００１】
【発明の属する技術分野】
本発明は、自動取引装置に関するものである。
【０００２】
【従来の技術】
従来、例えば、金融機関、流通機構等に設置される自動取引装置には、現金の取扱い、公共料金の支払い等の取引きの内容を表す明細票を発行するために媒体処理部が配設されている。
【０００３】
図２は従来の媒体処理部の概念図である。
【０００４】
図において、１１は第１の明細票ボックス、１３は該第１の明細票ボックス１１にセットされた感熱折畳みの連続紙、１５は該連続紙１３の挿入口、１２は第２の明細票ボックス、１４は該第２の明細票ボックス１２にセットされた感熱折畳みの連続紙、１６は該連続紙１４の挿入口である。
【０００５】
そして、２１〜２５は搬送ローラ、２６は排出ローラ、３１はプラテンローラ、３２はラインサーマルヘッド、３３は回転式のカッタ、３４、３６、３９は媒体センサ、３５、３７、３８は前記連続紙１３、１４に付与された黒色のマークを検出するマーク検出センサ、４１は前記第１の明細票ボックス１１の回収スイッチ、４２は前記第２の明細票ボックス１２の回収スイッチである。前記媒体センサ３９は連続紙１３、１４の搬送を監視する。
【０００６】
図３は従来の明細票の例を示す図である。
【０００７】
図において、１３は連続紙であり、該連続紙１３には一定の送り量ごとにミシン目４５が形成され、黒色のマーク４６が付与される。そして、連続紙１３は、ミシン目４５ごとに図２に示されるように折り畳まれる。なお、連続紙１４（図２）も同じ構成を有する。
【０００８】
次に、前記構成の媒体処理部の動作について説明する。
【０００９】
まず、第１の明細票ボックス１１内の連続紙１３の先端が挿入口１５に挿入されると、媒体センサ３４は、連続紙１３を検出し、検出信号を図示されない制御部に送る。該制御部は、検出信号が送られてくると、搬送用の駆動手段としての図示されないパルスモータを駆動し、搬送ローラ２１を回転させて連続紙１３をローディングして搬送し、連続紙１３が一定パルス分搬送されると、前記パルスモータの駆動を停止させて、連続紙１３の搬送を停止し、待機する。
【００１０】
このとき、前記制御部は、マーク検出センサ３５からの検出信号を読み込み、マーク検出センサ３５によってマーク４６が検出されたかどうかを判断する。そして、マーク４６が検出されない場合、制御部は、連続紙１３が表と裏とを逆にして挿入されたと判断し、前記パルスモータを逆方向に駆動し、搬送ローラ２１を逆方向に回転させて連続紙１３を挿入口１５から排出する。
【００１１】
一方、マーク検出センサ３５によってマーク４６が検出された場合、前記制御部は、図示されない上位装置から印字命令が送られるのを待機する。印字命令が送られると、前記制御部は、前記パルスモータを駆動し、搬送ローラ２１、２３〜２５、排出ローラ２６及びプラテンローラ３１を回転させ、連続紙１３を更に搬送する。
【００１２】
続いて、前記制御部は、マーク検出センサ３８からの検出信号を読み込み、マーク検出センサ３８によってマーク４６が検出されたかどうかを判断する。そして、マーク検出センサ３８によってマーク４６が検出された場合、制御部は、前記パルスモータを所定のパルス数だけ駆動し、搬送ローラ２１、２３〜２５及びプラテンローラ３１を回転させると、ラインサーマルヘッド３２を駆動して印字を開始する。
【００１３】
また、印字が行われている間に、前記制御部は、マーク検出センサ３８からの検出信号を読み込み、マーク検出センサ３８によって次のマーク４６が検出されたかどうかを判断する。そして、マーク検出センサ３８によって次のマーク４６が検出された場合、制御部は、更に前記連続紙１３を搬送し、前記パルスモータが所定のパルス数だけ駆動されると、前記パルスモータの駆動を停止させて、連続紙１３の搬送を停止させる。
【００１４】
続いて、制御部は、カッタ３３を駆動し、回転させて連続紙１３を前記ミシン目４５でカットして、所定の長さを有する図示されない明細票を形成する。そして、前記制御部は、前記パルスモータを駆動し、排出ローラ２６を回転させて明細票を矢印方向に搬送し、図示されない排出口に排出する。このようにして明細票が発行される。
【００１５】
また、２枚目以降の明細票も、前記動作によって同様に発行される。すなわち、制御部は、前記次のマーク４６が検出されてから、前記パルスモータを所定のパルス数だけ駆動すると、ラインサーマルヘッド３２を駆動して２枚目の印字を開始する。
【００１６】
また、印字が行われている間に、前記制御部は、マーク検出センサ３８からの検出信号を読み込み、マーク検出センサ３８によって更に次のマーク４６が検出されたかどうかを判断する。そして、マーク検出センサ３８によって更に次のマーク４６が検出された場合、制御部は、更に前記連続紙１３を搬送し、前記パルスモータが一定のパルス数だけ駆動されると、前記パルスモータを停止させて、連続紙１３を停止させる。
【００１７】
続いて、制御部は、カッタ３３を駆動し、回転させて連続紙１３を前記ミシン目４５でカットして、前記明細票を形成する。そして、前記制御部は、前記パルスモータを駆動し、排出ローラ２６を回転させて明細票を前記排出口に矢印方向に排出し、発行する。
【００１８】
一方、第２の明細票ボックス１２内の連続紙１４の先端が挿入口１６に挿入された場合も、同様に連続紙１４がローディングされ、印字が行われ、明細票が発行される。なお、媒体センサ３６は媒体センサ３４と、搬送ローラ２２は搬送ローラ２１と、マーク検出センサ３７はマーク検出センサ３５と同じ機能を有する。
【００１９】
また、挿入口１５に挿入され、ラインサーマルヘッド３２とプラテンローラ３１との間に形成される印字位置に一旦（いったん）送られた連続紙１３を回収する場合、操作者が回収スイッチ４１を押下すると、制御部は、前記パルスモータを逆方向に駆動し、搬送ローラ２１、２３〜２５及びプラテンローラ３１を逆方向に回転させ、連続紙１３を挿入口１５に排出する。
【００２０】
同様に、挿入口１６に挿入され、前記印字位置に一旦送られた連続紙１４を回収する場合、操作者が回収スイッチ４２を押下すると、制御部は、前記パルスモータを逆方向に駆動し、搬送ローラ２２、２４、２５及びプラテンローラ３１を逆方向に回転させ、連続紙１４を挿入口１６に排出する。
【００２１】
【発明が解決しようとする課題】
しかしながら、前記従来の自動取引装置においては、連続紙１３、１４をそれぞれ第１、第２の明細票ボックス１１、１２内にセットした後、連続紙１３、１４の先端を各挿入口１５、１６に挿入する必要がある。したがって、連続紙１３、１４をローディングするための作業が煩わしい。
【００２２】
本発明は、前記従来の自動取引装置の問題点を解決して、連続紙をローディングするための作業を簡素化することができる自動取引装置を提供することを目的とする。
【００２３】
【課題を解決するための手段】
そのために、本発明の自動取引装置においては、ロール状の連続紙をセットするための第１、第２の連続紙セット部と、駆動手段と、移送部材と、前記第２の連続紙セット部に配設され、連続紙を検出する媒体センサと、該媒体センサによる連続紙の検出に基づいてロール径を算出するロール径算出処理手段と、算出されたロール径が設定値より大きい場合に、前記移送部材によって、前記第２の連続紙セット部にセットされた連続紙を第１の連続紙セット部に送り、前記駆動手段を駆動することによって、前記第１の連続紙セット部にセットされた連続紙を回転させ、連続紙を繰り出してローディングする自動ローディング処理手段とを有する。
【００２４】
【発明の実施の形態】
以下、本発明の実施の形態について図面を参照しながら詳細に説明する。
【００２５】
図４は本発明の第１の実施の形態における自動取引装置のブロック図である。
【００２６】
図において、８１は金融機関、流通機構等に設置される自動取引装置、８２は該自動取引装置８１の全体の制御を行う制御部、８３は顧客が操作する顧客操作部、８４は金融機関、流通機構等の内部の操作者が操作する内部操作部、８５は現金の取扱い、公共料金の支払い等の取引きを行う現金処理部、８６は図示されないカードの処理を行ったり、図示されない明細票を発行したりするためのカード・媒体処理部、８７は図示されない通帳に対して記帳を行う通帳記帳部、８８は取引きの内容を記録する明細記録保持部であり、前記カード・媒体処理部８６は、前記カードの処理を行う図示されないカード処理部、並びに図示されない連続紙及び明細票の処理を行う図示されない媒体処理部から成る。
【００２７】
次に、前記カード・媒体処理部８６のうちの媒体処理部について説明する。
【００２８】
図１は本発明の第１の実施の形態における媒体処理部の概念図、図５は本発明の第１の実施の形態における連続紙のセット状態を示す斜視図である。
【００２９】
図において、５１は移送部材としてのアーム、５２〜５５は第１の媒体検出手段としての媒体センサ、５６は第２の媒体検出手段としての明細票センサ、５７は切断手段としてのカッタ、６０は印字ヘッドとしてのラインサーマルヘッド、６１はプラテンローラ、６２、６６は連続紙ローディング手段としてのローディングベルト、６３は搬送ローラ、６４は排出ローラ、６５は感熱紙から成り、発色面６５ａを備える連続紙、６７、６８は該連続紙６５をセットするための第１、第２の連続紙セット部である。なお、連続紙６５は、第１、第２の連続紙セット部６７、６８においてロール状の形状を有し、第１の連続紙セット部６７から繰り出されるとウェブ状の形状になる。また、前記第１、第２の連続紙セット部６７、６８によって連続紙セット手段が構成される。
【００３０】
前記プラテンローラ６１及び排出ローラ６４は、搬送用の駆動手段としての図示されない第１のパルスモータを駆動することによって回転させられる。また、前記ローディングベルト６２は、駆動ローラＲ１と従動ローラＲ２との間に架設され、ローディング用の駆動手段としての図示されない第２のパルスモータを駆動し、駆動ローラＲ１を回転させることによって走行させられ、走行に伴って、連続紙６５を回転させ、連続紙６５を繰り出す。同様に、前記ローディングベルト６６は、前記駆動ローラＲ１と従動ローラＲ３との間に架設され、前記駆動ローラＲ１を回転させることによって走行させられ、走行に伴って連続紙６５をローディングする。
【００３１】
また、７１は第１の連続紙セット部６７において先端を連続紙６５に当接させて配設され、連続紙６５を分離させる連続紙分離ガイド、７４は操作部材としての連続紙回収・ローディングスイッチ、７５は表示手段としての発光ダイオードである。前記アーム５１は、第１、第２の連続紙セット部６７、６８間に配設されたシャフト７３を揺動中心として揺動自在に配設され、連続紙セット用の駆動手段としての図示されないアームモータを駆動することによって揺動させられ、実線で示される第１のアームポジション、及び破線で示される第２のアームポジションを採る。なお、前記第１の連続紙セット部６７にセットされた連続紙６５をローディングする場合、連続紙６５は矢印Ａ方向に回転させられる。
【００３２】
次に、連続紙６５を手動でローディングする場合の媒体処理部の動作について説明する。
【００３３】
通常、アーム５１は、第１のアームポジションに置かれ、連続紙６５がアーム５１上に置かれる。これに伴い、媒体センサ５２によって連続紙６５が検出され、検出信号が制御部８２（図４）に送られる。続いて、操作者が連続紙回収・ローディングスイッチ７４を押下すると、制御部８２は、媒体センサ５３からの検出信号を読み込み、媒体センサ５３によって連続紙６５が検出されたかどうかを判断する。この時点で、第１の連続紙セット部６７に連続紙６５がセットされていないので、媒体センサ５３によって連続紙６５が検出されない。したがって、前記制御部８２は、連続紙６５がローディングされていないことを認識する。
次に、前記制御部８２の図示されない手動ローディング処理手段は、手動ローディング処理を行い、媒体センサ５２からの検出信号に基づいて、前記アームモータを駆動し、アーム５１を回動させて第２のアームポジションに置く。これに伴って、第２の連続紙セット部６８にセットされた連続紙６５は第１の連続紙セット部６７に送られ、セットされる。
【００３４】
続いて、前記手動ローディング処理手段は、アーム５１を第２のアームポジションに置いたまま、前記第２のパルスモータを強制的に駆動してローディングベルト６２、６６を走行させる。その結果、連続紙６５は、ローディングベルト６２の走行に伴って矢印Ａ方向に回転させられ、先端が連続紙分離ガイド７１によって分離させられて繰り出され、更に前記ローディングベルト６６の走行に伴って搬送され、ローディングされる。
【００３５】
そして、媒体センサ５５によって連続紙６５の先端が検出されると、前記第１、第２のパルスモータがあらかじめ設定されたパルス数だけ駆動されて、停止させられる。これに伴って、連続紙６５は、ローディングベルト６２、６６及びプラテンローラ６１によって搬送され、先端が搬送方向におけるカッタ５７の直前に到達したときに停止させられる。このようにして、ローディングが終了される。なお、ローディングが終了すると、前記アームモータが駆動され、アーム５１は第１のアームポジションに戻される。
【００３６】
続いて、図示されない上位装置から印字命令が送られると、制御部８２は、前記第１、第２のパルスモータを駆動し、ローディングベルト６２、６６を走行させ、プラテンローラ６１、搬送ローラ６３及び排出ローラ６４を駆動して連続紙６５を搬送しながら、ラインサーマルヘッド６０に印字データを送り、前記第１、第２のパルスモータのパルスと同期させて印字を行う。そして、印字が行われている間に、明細票センサ５６が連続紙６５の先端を検出すると、制御部８２は第１、第２のパルスモータのパルス数のカウントを開始し、パルス数が設定値に達すると、カッタ５７を駆動して連続紙６５をカットし、所定の長さを有する図示されない明細票を形成する。該明細票は、搬送ローラ６３によって搬送され、排出ローラ６４によって図示されない排出口に排出される。このようにして明細票が発行される。
【００３７】
また、媒体処理部において連続紙６５を自動的にローディングすることもできる。
【００３８】
この場合、アーム５１は、第１のアームポジションに置かれ、連続紙６５がアーム５１上に置かれ、媒体センサ５２によって連続紙６５が検出されると、検出信号が制御部８２に送られる。この状態で、上位装置から印字命令が送られると、制御部８２の図示されない自動ローディング処理手段は、自動ローディング処理を行い、媒体センサ５２からの検出信号に基づいて、前記アームモータを駆動し、アーム５１を回動させて第２のアームポジションに置く。これに伴って、第２の連続紙セット部６８にセットされた連続紙６５は第１の連続紙セット部６７にセットされる。
【００３９】
続いて、アーム５１を第２のアームポジションに置いたまま、前記第２のパルスモータを駆動してローディングベルト６２、６６を走行させると、連続紙６５は、ローディングベルト６２の走行に伴って矢印Ａ方向に回転させられ、先端が連続紙分離ガイド７１によって分離させられ、更に前記ローディングベルト６６の走行に伴って搬送され、ローディングされる。
【００４０】
次に、連続紙６５の回収動作について説明する。
【００４１】
まず、ローディングが終了され、連続紙６５の先端が搬送方向におけるカッタ５７の直前に置かれている場合に、操作者が連続紙回収・ローディングスイッチ７４を押下すると、この時点で、媒体センサ５５によって連続紙６５の先端が既に検出されているので、制御部８２は、第１、第２のパルスモータを逆方向に駆動し、プラテンローラ６１を逆方向に回転させ、ローディングベルト６２、６６を逆方向に走行させる。続いて、媒体センサ５４によって連続紙６５が検出されなくなると、制御部８２は、第１、第２のパルスモータのパルス数のカウントを開始し、カウント値が設定値になると、第１、第２のパルスモータの駆動を停止させて連続紙６５を回収する。
【００４２】
ところで、連続紙６５をローディングするに当たり、ロール状の連続紙６５の外径、すなわち、ロール径が小さく、連続紙６５が軽いと、ローディングベルト６２を走行させても連続紙６５を繰り出すことができなくなってしまう。
【００４３】
そこで、前記媒体センサ５３は、連続紙６５のロール径が設定値より大きい場合に、連続紙６５を検出するようになっている。そして、第１のアームポジションにおいて、アーム５１上に連続紙６５が置かれたときに、前記制御部８２の図示されないロール径算出処理手段は、ロール径算出処理を行い、媒体センサ５２によって連続紙６５が検出されたかどうかにより、連続紙６５のロール径を算出する。そして、前記自動ローディング処理手段は、媒体センサ５２によって連続紙６５が検出され、算出されたロール径が設定値より大きく、連続紙６５が十分に重い場合にだけ、前記アームモータ及び第１、第２のパルスモータを駆動し、連続紙６５をローディングする。
【００４４】
また、アーム５１上に連続紙６５を置いたときに、媒体センサ５２によって連続紙６５が検出されず、ロール径が設定値以下であり、連続紙６５が軽い場合は、操作者が連続紙回収・ローディングスイッチ７４を押下したときに限り、前記手動ローディング処理手段は、前記アームモータ及び第１、第２のパルスモータを駆動し、連続紙６５をローディングする。なお、前述されたように、媒体センサ５２によって連続紙６５が検出されたときに、操作者が連続紙回収・ローディングスイッチ７４を押下した場合、手動ローディング処理手段によって同様にローディングが行われる。
【００４５】
なお、発光ダイオード７５は、通常、消灯させられているが、連続紙６５がアーム５１上に置かれ、媒体センサ５２によって検出された場合にだけ点灯させられる。したがって、操作者は、発光ダイオード７５が点灯しているかどうかを見ることによって、連続紙６５のロール径が大きく、連続紙６５が十分に重いかどうか、及び自動的に連続紙６５をローディングすることができるかどうかを判断することができる。
【００４６】
なお、アーム５１上に置かれた連続紙６５のロール径が設定値以下であり、連続紙６５が軽い場合、発光ダイオード７５を消灯したままになる。したがって、操作者は、連続紙回収・ローディングスイッチ７４を押下しない限り、連続紙６５をローディングすることができない。
【００４７】
このように、本実施の形態において、ロール径が設定値より大きく、連続紙６５が十分に重い場合は、自動的に連続紙６５をローディングし、連続紙６５のロール径が設定値以下であり、連続紙６５が軽い場合は、連続紙回収・ローディングスイッチ７４を押下することによって連続紙６５をローディングすることができる。したがって、連続紙６５をローディングするための作業を簡素化することができる。
【００４８】
次に、本発明の第２の実施の形態について説明する。なお、第１の実施の形態と同じ構造を有するものについては、同じ符号を付与することによってその説明を省略する。
【００４９】
図６は本発明の第２の実施の形態における自動取引装置のブロック図である。
【００５０】
この場合、現金処理部８５、カード・媒体処理部８６及び通帳記帳部８７は、通常、図示されないカード、連続紙６５（図１）、図示されない通帳等をセットしたり、ジャムになった連続紙６５を除去したりすることができるように図示されない引出機構を有する。そして、前記現金処理部８５、カード・媒体処理部８６及び通帳記帳部８７に隣接させて検出スイッチＳＷ１〜ＳＷ３がそれぞれ配設され、現金処理部８５、カード・媒体処理部８６及び通帳記帳部８７が引き出されると、各スイッチＳＷ１〜ＳＷ３がオンになり、前記現金処理部８５、カード・媒体処理部８６及び通帳記帳部８７が元に戻されると、各スイッチＳＷ１〜ＳＷ３がオフになる。
【００５１】
例えば、操作者がカード・媒体処理部８６を引き出すと、スイッチＳＷ２がオンになり、アーム５１上に連続紙６５を置いてカード・媒体処理部８６を元に戻すと、スイッチＳＷ２がオフになる。この場合、制御部８２の図示されない初期ローディング処理手段は、初期ローディング処理を行い、スイッチＳＷ２のスイッチ信号を読み込み、アーム５１上に連続紙６５が置かれてセットされたことを認識する。そして、前記初期ローディング処理手段は、連続紙セット用の駆動手段としての図示されないアームモータ、搬送用の駆動手段としての図示されない第１のパルスモータ、及びローディング用の駆動手段としての図示されない第２のパルスモータを駆動し、連続紙６５をローディングする。
このように、本実施の形態においては、スイッチ信号に基づいてローディングが開始されるので、連続紙６５がセットされた後の第１回目の取引きについては、ローディングを行うための処理速度を高くすることができる。
【００５２】
なお、本発明は前記実施の形態に限定されるものではなく、本発明の趣旨に基づいて種々変形させることが可能であり、それらを本発明の範囲から排除するものではない。
【００５３】
【発明の効果】
以上詳細に説明したように、本発明によれば、自動取引装置においては、ロール状の連続紙をセットするための第１、第２の連続紙セット部と、駆動手段と、移送部材と、前記第２の連続紙セット部に配設され、連続紙を検出する媒体センサと、該媒体センサによる連続紙の検出に基づいてロール径を算出するロール径算出処理手段と、算出されたロール径が設定値より大きい場合に、前記移送部材によって、前記第２の連続紙セット部にセットされた連続紙を第１の連続紙セット部に送り、前記駆動手段を駆動することによって、前記第１の連続紙セット部にセットされた連続紙を回転させ、連続紙を繰り出してローディングする自動ローディング処理手段とを有する。
【００５４】
この場合、連続紙の検出に基づいてロール径が算出され、算出されたロール径が設定値より大きい場合に、移送部材によって、第２の連続紙セット部にセットされた連続紙が第１の連続紙セット部に送られ、駆動手段が駆動されることによって、第１の連続紙セット部にセットされた連続紙が繰り出され、ローディングされるので、連続紙をローディングするための作業を簡素化することができる。
【図面の簡単な説明】
【図１】本発明の第１の実施の形態における媒体処理部の概念図である。
【図２】従来の媒体処理部の概念図である。
【図３】従来の明細票の例を示す図である。
【図４】本発明の第１の実施の形態における自動取引装置のブロック図である。
【図５】本発明の第１の実施の形態における連続紙のセット状態を示す斜視図である。
【図６】本発明の第２の実施の形態における自動取引装置のブロック図である。
【符号の説明】
５１    アーム
５２    媒体センサ
６２、６６    ローディングベルト
６５    連続紙
６７、６８    第１、第２の連続紙セット部
７４    連続紙回収・ローディングスイッチ
８２    制御部
８６    カード・媒体処理部
【図１】
0004815698.tif 000002
【図２】
0004815698.tif 000003
【図３】
0004815698.tif 000004
【図４】
0004815698.tif 000005
【図５】
0004815698.tif 000006
【図６】
0004815698.tif 000007